(57)【要約】ネットワークインタラクション（ｉｎｔｅｒａｃｔｉｏｎ）方法は、ネットワークのためのシンクライアントユーザインターフェースを提供し、このシンクライアントインターフェースを用いたネットワーク内で共有されている装置のリストを呈示する工程を含む。このシンクライアントインターフェースは、前記共有されている装置のうち少なくとも１つの選択を可能とし、前記共有されている装置の少なくとも１つと関連付けられている装置ドライバの選択を可能とする。また、シンクライアントインターフェースは、選択された装置ドライバを選択された共有されている装置と関連付ける。
2005538432.tif 000002
【特許請求の範囲】
【請求項１】
シンクライアントユーザインターフェースにネットワークを提供し、
前記シンクライアントインターフェースを使用している前記ネットワーク内で共有されている装置のリストを呈示し、
前記シンクライアントインターフェースを使用している前記共有されている装置のうち、少なくとも１つの選択を可能にし、
前記シンクライアントインターフェースを使用している前記共有されている装置の少なくとも１つと関係付けられている装置ドライバの選択を可能にし、
前記選択された装置ドライバと、前記選択されたシンクライアントインターフェースを使用し共有されている装置とを関係付ける
ことを特徴とするネットワークインタラクション方法
【請求項２】
前記関係付ける工程に引き続いて、さらに、
前記選択された装置ドライバをサーバからアップロードして保存することを特徴とする請求項１に記載の方法。
【請求項３】
前記ネットワークが、前記シンクライアントインターフェースを利用するそれぞれの装置から発生する、前記選択された共有されている装置の引き続く操作のため、前記選択された装置ドライバを使用する目的で、前記選択された共有されている装置と、前記選択された装置ドライバとの間の結合（ａｓｓｏｃｉａｔｉｏｎ）を記憶する工程を含むことを特徴とする請求項１に記載の方法。
【請求項４】
前記シンクライアントインターフェースはウェブブラウザであることを特徴とする請求項１に記載の方法。
【請求項５】
前記共有されているネットワーク装置のリストは、ネットワークにより使用可能に作られたものであることを特徴とする請求項１に記載の方法。
【請求項６】
前記共有されている装置は、個々のプリンタキューであることを特徴とする請求項１に記載の方法。
【請求項７】
前記関連付けられた装置ドライバの選択は、ＡｃｔｉｖｅＸまたはアプレットを用いて達成されることを特徴とする請求項１に記載の方法。
【請求項８】
リストを呈示する工程は、ＨＴＴＰ要求／応答のやりとりを通してネットワーク管理者により成されることを特徴とする請求項１に記載の方法
【請求項９】
前記関連付ける工程に引き続いて、さらに、
前記選択された装置ドライバをクライアントマシンからダウンロードし、保存することを特徴とする請求項１に記載の方法。
【請求項１０】
前記個々の装置ドライバは、ダウンロードされ、ＡｃｔｉｖｅＸまたはアプレットを介して前記クライアントマシンにインストールされることを特徴とする請求項９に記載の方法。
【発明の詳細な説明】
【技術分野】
【０００１】
本発明は、ネットワーク環境におけるドキュメント出力管理に関する。特に、本発明は、基本仕様の異なるタイプを利用している多様なクライアントにより使用されるような、個々に異なるタイプのネットワークプリンタのためのドライバを管理することに適用できる。
【背景技術】
【０００２】
プリンタまたは他のタイプのドキュメントサービス装置により、ドキュメントが出力されるネットワークにおいては、大概、ドキュメント管理システム内で装置システムドキュメントにアクセスするため使用されるインターフェースを通して、ドキュメントが管理されている。アクセスは、ネットワークサーバあるいはそのような領域上にある少なくとも１つのフォルダであるドキュメント管理保管所に与えられる。ネットワークベースのドキュメントサービス装置は、ｉＳＰ装置（すなわちイメージサービス基本仕様装置）、ドキュメント管理能力に関するドキュメント分配ソリューション、および装置管理サポートを含む。このｉＳＰ装置は、ユーザがすばやく保存し、ドキュメント保管所からドキュメントを検索することを可能にする。
【０００３】
ｉＳＰ装置は、クライアント／サーバシステム内に実現され、大概ドキュメント分配モジュール（ＤＤＭ）を含む。このＤＤＭは、その装置がサーバ構成要素であって、全てのユーザ装置がクライアントである、クライアント−サーバ構造を有する。ＤＤＭの主な機能は、ユーザに管理出力装置における特別な技術を要求せずに、さまざまな任意のタイプのクライアントオペレーティングシステム（ＯＳ）（すなわちＷｉｎｄｏｗｓ（商標、以下省略する），Ｕｎｉｘ（商標），Ｍａｃ（商標）等）から、さまざまなタイプの宛先にジョブを発送することである。２つのタイプのクライアント、つまり、プリンタ装置を通して操作しているクライアント“シンククライアント”と、ウェブブラウザを通して操作しているクライアント“シンクライアント”は、一般に使用可能である。装置は、ＬｉｎｕｘＯＳを作動する。ＤＤＭは、順々に、最後の宛先へとジョブを発送する。従って、その装置は、対応する宛先へのジョブの送付のコントロールおよびモニタリングの焦点となっている。
【発明の開示】
【発明が解決しようとする課題】
【０００４】
ドキュメント分配モジュールは、ドキュメントをネットワークプリンタに送信する機能をユーザに提供し、この操作を達成するために、Ｗｉｎｄｏｗｓクライアントマシンには、ドキュメントに応じたプリントジョブ生成に対応するプリンタが必要となる。これは、一般に、最初、プリントサーバにおけるプリントドライバをローディングすることにより、達成される。第２ステップとして、そのプリントドライバは、プリントサーバからクライアントマシンにダウンロードされる。プリントサーバかＷｉｎｄｏｗｓ基本仕様を実行するために、それらの操作は、ＰｏｉｎｔアンドＰｒｉｎｔ（Ｗｉｎｄｏｗｓ  ＥｘｐｌｏｒｅｒおよびＡｄｄ  Ｐｒｉｎｔｅｒ  Ｗｉｚａｒｄ）を介して成し遂げられる。
【課題を解決するための手段】
【０００５】
先のタイプのシステムと関連付けられた不備および不利益は、ここに開示されている、ネットワークのためのシンクライアントユーザインターフェースを提供する工程と、シンクライアントインターフェースを用いるネットワーク内で共有されている装置（以下共有装置と記す）のリストを呈示する工程を含むネットワークインタラクション方法により克服される。このシンクライアントインターフェースは、共有装置の少なくとも１つを選択可能で、共有装置の少なくとも１つと関係付けられている装置ドライバを選択可能である。また、そのシンクライアントインターフェースは、選択された装置ドライバと、選択された共有装置とを関係付ける。
【０００６】
解されるように、本発明は、その他の異なる実施の形態が適用可能であって、本発明から外れない範囲で、それぞれの詳細は、さまざまな箇所での修正が可能である。従って、図面および文章による説明は例証としてみなされ、限定されるものではない。
【発明を実施するための最良の形態】
【０００７】
本発明は、ウェブブラウザを用いるドライバのアップロードおよびダウンロードの実施および方法を指示する。本発明は、Ｌｉｎｕｘ基本仕様において動作するプリントサーバ（好ましくはｉＳＰプリントサーバ）、およびｉＳＰ製品のシンクライアントインターフェース（すなわちブラウザ）を介して、同じ機能を達成できる装置を提供する。本発明は、プリントドライバをｉＳＰサーバが操作するＬｉｎｕｘ基本仕様にアップロードし、かつ、プリントドライバをｉＳＰサーバが操作するＬｉｎｕｘ基本仕様からダウンロードすることを、ブラウザクライアントがＷｉｎｄｏｗｓ基本仕様において実行するための手段を提供する。
【０００８】
ドライバのブラウザアップロードあるいはダウンロードの実施および方法は、本発明の通り、ｉＳＰ製品のシンクライアントインターフェース（ブラウザ）を介して、要求された機能を達成するための装置を提供する。この機能とは、ｉＳＰのシンクライアントインターフェースユーザのドライバのアップロード、および普通のシンクライアントインターフェースからのダウンロードの実施を助けることである。よって、付加的な動作およびユーザの不自由を回避できる。
【０００９】
図１のブロック図は、２つの特徴的な操作を示し説明するものである。
【００１０】
アップロード操作：ＨＴＴＰ要求／応答のやりとりを通して、ｉＳＰ管理者（アドミニストレータ）には、ｉＳＰサーバにより使用可能に作られている共有プリンタ（キュー）のリストが呈示される。次いで、ユーザはキューを選択し、ＡｃｔｉｖｅＸまたはアプレット（Ａｐｐｌｅｔ）を介してそれぞれのキューと関連付けられたドライバを選択する。そのドライバは、ｉＳＰサーバにアップロードされ、保存される。結合（ａｓｓｏｃｉａｔｉｏｎ）が、それぞれの共有プリンタと新たにアップロードされたドライバの間に記憶される。これは、このシステムが、このクライアントマシンからの今後のプリント命令のために、ドライバを“記憶”するためである。
【００１１】
ダウンロード操作：ＨＴＴＰ要求／応答のやりとりを通して、ユーザに、ｉＳＰサーバにより使用可能に作られている共有プリンタ（キュー）のリストが呈示される。ユーザは、クライアントマシンにインストールされることが要求されたネットワークプリンタを選択する。それぞれのドライバが、ダウンロードされる。ドライバは、ＡｃｔｉｖｅＸまたはアプレットを介して、クライアントマシンにインストールされる。
【００１２】
本発明に用いられるＡｃｔｉｖｅＸまたはアプレット構成要素は、ｉＳＰサーバとの連結を除いて、Ｗｉｎｄｏｗｓの“ＰｏｉｎｔアンドＰｒｉｎｔ（Ｐｏｉｎｔ  ａｎｄ  Ｐｒｉｎｔ）”機能により提供されるような同様の機能性をエミュレートしている。ドライバのアップロードおよびダウンロードのタスクは、ｉＳＰシンクライアントインターフェースを通して達成される操作がｉＳＰ領域（ｄｏｍａｉｎ）外で有効であるＷｉｎｄｏｗｓによってなされたように同じやり方で、実行される。例えば、Ｗｉｎｄｏｗｓの“ポイントおよびプリント（Ｐｏｉｎｔ  ａｎｄ  Ｐｒｉｎｔ）”を通してアップロードされたドライバは、逆にｉＳＰインターフェースを通したダウンロードが使用可能である。
【００１３】
これまで説明したように、本発明は、先のタイプの方法および手段と関連付けられた多くの問題を解決できる。しかしながら、詳細のさまざまな変更は正しく評価され、本発明の原理および範囲内における熟練された当業者により本発明の性質を説明がなされるために、ここで図面および文章を用いて例をあげて説明された部分的な材料および配置は、添付された請求項に表わされている。
【図面の簡単な説明】
【００１４】
【図１】本発明に係るプリントドライバのアップロードおよびダウンロードの操作を示すブロック図。
【図１】
2005538432.tif 000003
【国際調査報告】
2005538432.tif 000004